(57)【要約】      （修正有）【課題】仮想画素を用いた表示により解像度を向上させることができる多原色表示装置において、入力側と出力側とでの輝度の逆転現象の発生を防止する。【解決手段】多原色表示装置は、多原色表示パネルと、入力画像信号を多原色画像信号に変換する信号変換回路２０とを備え、画素Ｐを構成する赤サブ画素Ｒ、緑サブ画素Ｇ、青サブ画素Ｂおよび黄サブ画素Ｙｅを２つの仮想画素に振り分け、入力画像における隣接した２画素分の表示を２つの仮想画素によって行うことができる。信号変換回路は、低域多原色信号生成部２１を有する。低域多原色信号生成部は、入力画像における隣接した２画素のうちの一方の画素が特定の色を示す場合、赤サブ画素の絶対輝度および緑サブ画素の絶対輝度の和に対する黄サブ画素の絶対輝度の比が、０．５以上２．０以下になるように低域成分の多原色化を行い得る。【選択図】図６
2015197461.tif 000002
【特許請求の範囲】
【請求項１】
赤サブ画素、緑サブ画素、青サブ画素および黄サブ画素から構成される画素を有し、赤、緑、青および黄の４つの原色を用いてカラー表示を行う多原色表示装置であって、
各画素に前記赤サブ画素、前記緑サブ画素、前記青サブ画素および前記黄サブ画素を有する多原色表示パネルと、
３原色に対応した入力画像信号を前記４つの原色に対応した多原色画像信号に変換する信号変換回路と、を備え、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、
前記信号変換回路は、
前記入力画像信号に基づいて、前記入力画像信号の低域成分が多原色化された信号である低域多原色信号を生成する低域多原色信号生成部と、
前記入力画像信号に基づいて、前記入力画像信号の高域成分が輝度変換された信号である高域輝度信号を生成する高域輝度信号生成部と、
前記低域多原色信号および前記高域輝度信号に基づいて、前記２つの仮想画素へのレンダリング処理を行うレンダリング処理部と、を有し、
前記低域多原色信号生成部は、前記入力画像における前記隣接した２画素のうちの一方の画素が特定の色を示す場合、前記赤サブ画素の絶対輝度および前記緑サブ画素の絶対輝度の和に対する前記黄サブ画素の絶対輝度の比が、０．５以上２．０以下になるように前記低域成分の多原色化を行い得る多原色表示装置。
【請求項２】
前記特定の色は、有彩色であり、且つ、青の規格化輝度が、赤の規格化輝度および緑の規格化輝度のうちの大きい方の１／３よりも大きい色である請求項１に記載の多原色表示装置。
【請求項３】
前記低域多原色信号生成部は、前記入力画像における前記一方の画素が前記特定の色を示す場合、前記赤サブ画素の絶対輝度および前記緑サブ画素の絶対輝度の和に対する前記黄サブ画素の絶対輝度の比が、実質的に１になるように多原色化を行い得る請求項１または２に記載の多原色表示装置。
【請求項４】
前記低域多原色信号生成部は、前記入力画像における前記一方の画素が前記特定の色を示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る請求項１から３のいずれかに記載の多原色表示装置。
【請求項５】
前記特定の色はダークスキンであり、
前記低域多原色信号生成部は、前記入力画像における前記一方の画素がダークスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る請求項１から４のいずれかに記載の多原色表示装置。
【請求項６】
前記特定の色はライトスキンであり、
前記低域多原色信号生成部は、前記入力画像における前記一方の画素がライトスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０１以下となるように多原色化を行い得る請求項１から５のいずれかに記載の多原色表示装置。
【請求項７】
前記入力画像における前記隣接した２画素のうちの前記一方の画素が特定の色を示す場合、他方の画素は黒を示している請求項１から６のいずれかに記載の多原色表示装置。
【請求項８】
前記２つの仮想画素のそれぞれは、前記赤サブ画素、前記緑サブ画素、前記青サブ画素および前記黄サブ画素のうちの２つ以上のサブ画素によって構成される請求項１から７のいずれかに記載の多原色表示装置。
【請求項９】
前記画素は、複数の行および複数の列を含むマトリクス状に複数配置されており、
前記複数の画素のそれぞれ内で、前記赤サブ画素、前記緑サブ画素、前記青サブ画素および前記黄サブ画素は１行４列に配列されている請求項１から８のいずれかに記載の多原色表示装置。
【請求項１０】
液晶表示装置である請求項１から９のいずれかに記載の多原色表示装置。
【請求項１１】
赤サブ画素、緑サブ画素、青サブ画素および黄サブ画素から構成される画素を有し、赤、緑、青および黄の４つの原色を用いてカラー表示を行う多原色表示装置であって、
各画素に前記赤サブ画素、前記緑サブ画素、前記青サブ画素および前記黄サブ画素を有する多原色表示パネルと、
３原色に対応した入力画像信号を前記４つの原色に対応した多原色画像信号に変換する信号変換回路と、を備え、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、
前記信号変換回路は、
前記入力画像信号に基づいて、前記入力画像信号の低域成分が多原色化された信号である低域多原色信号を生成する低域多原色信号生成部と、
前記入力画像信号に基づいて、前記入力画像信号の高域成分が輝度変換された信号である高域輝度信号を生成する高域輝度信号生成部と、
前記低域多原色信号および前記高域輝度信号に基づいて、前記２つの仮想画素へのレンダリング処理を行うレンダリング処理部と、を有し、
前記低域多原色信号生成部は、前記入力画像における前記隣接した２画素のうちの一方の画素および他方の画素の輝度の大小関係と、前記一方の画素に対応する仮想画素および前記他方の画素に対応する仮想画素の輝度の大小関係とが反対にならないように前記低域成分の多原色化を行い得る多原色表示装置。
【発明の詳細な説明】
【技術分野】
【０００１】
本発明は、多原色表示装置に関する。
【背景技術】
【０００２】
一般的な表示装置では、光の三原色である赤、緑および青を表示する３つのサブ画素によって１つの画素が構成されており、そのことによってカラー表示が可能になっている。
【０００３】
しかしながら、従来の表示装置は、表示可能な色の範囲（「色再現範囲」と呼ばれる。）が狭いという問題を有している。色再現範囲が狭いと、物体色（自然界に存在する様々な物体の色である；非特許文献１参照）の一部を表示することができない。そこで、表示装置の色再現範囲を広くするために、表示に用いる原色の数を増やす手法が提案されている。
【０００４】
例えば、特許文献１には、６つの原色を用いて表示を行う表示装置が開示されている。また、特許文献１には、４つの原色を用いて表示を行う表示装置や、５つの原色を用いて表示を行う表示装置も開示されている。６つの原色を用いて表示を行う表示装置の一例を図１６に示す。図１６に示す表示装置８００では、赤サブ画素Ｒ、緑サブ画素Ｇ、青サブ画素Ｂ、シアンサブ画素Ｃ、マゼンタサブ画素Ｍおよび黄サブ画素Ｙｅによって１つの画素Ｐが構成される。この表示装置８００では、６つのサブ画素によって表示される赤、緑、青、シアン、マゼンタおよび黄の６つの原色を混色することにより、カラー表示が行われる。
【０００５】
表示に用いる原色の数を増やす、つまり、４つ以上の原色を用いて表示を行うことにより、三原色を用いて表示を行う従来の表示装置よりも色再現範囲を広くすることができる。本願明細書では、４つ以上の原色を用いて表示を行う表示装置を「多原色表示装置」と称し、３つの原色を用いて表示を行う（つまり従来の一般的な）表示装置を「三原色表示装置」と称する。
【０００６】
しかしながら、多原色表示装置で、三原色表示装置と同等の解像度を有する画像を表示するためには、画面サイズが同一の場合、デバイス構造の細密化が必要となり、生産コストが増大してしまう。これは、多原色表示装置では１画素あたりのサブ画素の数が３から４以上に増加するので、同一画面サイズで同一画素数を実現するためには、三原色表示装置と比べてサブ画素のサイズを小さくしなくてはならないからである。具体的には、表示に用いる原色の数をｍ（ｍ≧４）とすると、サブ画素のサイズを3／ｍにしなくてはならない。例えば、６つの原色を用いて表示を行う多原色表示装置では、サブ画素のサイズを１／２（＝３／６）にする必要がある。
【０００７】
そこで、多原色表示装置において、三原色表示装置と比べてサブ画素サイズを小さくすることなく、同等またはより高い解像度の画像を表示するための技術が、特許文献２に提案されている。図１７に示すように、特許文献２の多原色表示装置９００では、１つの画素Ｐを構成する複数のサブ画素ＳＰ１〜ＳＰ６を、複数の仮想的な画素（以下では「仮想画素」と呼ぶ）ＶＰ１、ＶＰ２に振り分け、各仮想画素を表示単位として表示を行うことができる。
【０００８】
図１８に、特許文献２の多原色表示装置９００が備える信号変換回路９２０を示す。信号変換回路９２０は、図１８に示すように、低域多原色信号生成部９２１と、高域輝度信号生成部９２２と、レンダリング処理部９２３とを有する。信号変換回路９２０は、さらに、γ補正部９２４と、逆γ補正部９２５とを有する。
【０００９】
信号変換回路９２０への入力画像信号は、まず、γ補正部９２４によってγ補正処理を施される。γ補正処理を施された画像信号は、次に、低域多原色信号生成部９２１と、高域輝度信号生成部９２２とにそれぞれ入力される。
【００１０】
低域多原色信号生成部９２１は、入力画像信号に基づいて、低域多原色信号を生成する。低域多原色信号は、入力画像信号の低域成分（相対的に空間周波数が低い成分）が多原色化された（つまり４つ以上の原色に対応するように変換がなされた）信号である。
【００１１】
低域多原色信号生成部９２１は、低域成分抽出部（ローパスフィルタ：ＬＰＦ）９２６と、多原色変換部９２７とを有する。ローパスフィルタ９２６は、入力画像信号から低域成分を抽出する。ローパスフィルタ９２６によって抽出された入力画像信号の低域成分は、多原色変換部９２７によって多原色化される。多原色化された低域成分は、低域多原色信号として出力される。
【００１２】
高域輝度信号生成部９２２は、入力画像信号に基づいて、高域輝度信号を生成する。高域輝度信号は、入力画像信号の高域成分（相対的に空間周波数が高い成分）が輝度変換された信号である。
【００１３】
高域輝度信号生成部９２２は、輝度変換部９２８と、高域成分抽出部（ハイバスフィルタ：ＨＰＦ）９２９とを有する。輝度変換部９２８は、入力画像信号を輝度変換して輝度信号を生成する。ハイパスフィルタ９２９は、輝度変換部９２８によって生成された輝度信号の高域成分を、高域輝度信号として抽出する。
【００１４】
レンダリング処理部９２３は、低域多原色信号生成部９２１によって生成された低域多原色信号と、高域輝度信号生成部９２２によって生成された高域輝度信号とに基づいて、複数の仮想画素へのレンダリング処理を行う。レンダリング処理部９２３は、複数の仮想画素への複数のサブ画素の振り分けパターンを規定する重み係数が格納された記憶部９２３ａを含んでおり、入力画像の解像度等に応じて好ましい重み係数を選択し、選択された重み係数で規定される振り分けパターンに従ってレンダリング処理を行う。レンダリング処理によって生成された画像信号は、逆γ補正部９２５によって逆γ補正を施され、多原色画像信号として出力される。
【００１５】
このように、信号変換回路９２０では、入力画像信号の低域成分に対しては多原色化処理を行い、高域成分に対しては輝度変換処理を行う。これらの処理によって得られた低域多原色信号と高域輝度信号とを組み合わせ、仮想画素へレンダリングすることにより、４つの原色に対応した画像信号（多原色画像信号）を出力することができる。
【先行技術文献】
【特許文献】
【００１６】
【特許文献１】国際公開第２００６／０１８９２６号
【特許文献２】国際公開第２０１２／０６７０３８号
【非特許文献】
【００１７】
【非特許文献１】M. R. Pointer, "The gamut of real surface colors", Color Research and Application, Vol.5, No.3, pp.145-155 (1980)
【発明の概要】
【発明が解決しようとする課題】
【００１８】
しかしながら、本願発明者の検討によれば、特許文献２に開示されている技術を単純に用いると、特定の入力画像を表示する際に、不具合が発生することがわかった。
【００１９】
具体的には、入力画像における互いに隣接した２つの画素に着目したとき、入力側と出力側とで、２つの画素の輝度の大小関係が逆転してしまう場合があることがわかった。例えば、入力画像では、奇数列の画素が黒を示し、偶数列の画素が中間調の有彩色を示しているにもかかわらず、奇数列の画素に対応した表示を行うための仮想画素の輝度が、偶数列の画素に対応した表示を行うための仮想画素の輝度よりも高くなってしまうことがある。以下では、この現象を、「輝度の逆転現象」と呼ぶことがある。
【００２０】
本発明は、上記問題に鑑みてなされたものであり、その目的は、仮想画素を用いた表示により解像度を向上させることができる多原色表示装置において、上述したような入力側と出力側とでの輝度の逆転現象の発生を防止することにある。
【課題を解決するための手段】
【００２１】
本発明の実施形態による多原色表示装置は、赤サブ画素、緑サブ画素、青サブ画素および黄サブ画素から構成される画素を有し、赤、緑、青および黄の４つの原色を用いてカラー表示を行う多原色表示装置であって、各画素に前記赤サブ画素、前記緑サブ画素、前記青サブ画素および前記黄サブ画素を有する多原色表示パネルと、３原色に対応した入力画像信号を前記４つの原色に対応した多原色画像信号に変換する信号変換回路と、を備え、  前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、前記信号変換回路は、前記入力画像信号に基づいて、前記入力画像信号の低域成分が多原色化された信号である低域多原色信号を生成する低域多原色信号生成部と、前記入力画像信号に基づいて、前記入力画像信号の高域成分が輝度変換された信号である高域輝度信号を生成する高域輝度信号生成部と、前記低域多原色信号および前記高域輝度信号に基づいて、前記２つの仮想画素へのレンダリング処理を行うレンダリング処理部と、を有し、前記低域多原色信号生成部は、前記入力画像における前記隣接した２画素のうちの一方の画素が特定の色を示す場合、前記赤サブ画素の絶対輝度および前記緑サブ画素の絶対輝度の和に対する前記黄サブ画素の絶対輝度の比が、０．５以上２．０以下になるように前記低域成分の多原色化を行い得る。
【００２２】
ある実施形態において、前記特定の色は、有彩色であり、且つ、青の規格化輝度が、赤の規格化輝度および緑の規格化輝度のうちの大きい方の１／３よりも大きい色である。
【００２３】
ある実施形態において、前記低域多原色信号生成部は、前記入力画像における前記一方の画素が前記特定の色を示す場合、前記赤サブ画素の絶対輝度および前記緑サブ画素の絶対輝度の和に対する前記黄サブ画素の絶対輝度の比が、実質的に１になるように多原色化を行い得る。
【００２４】
ある実施形態において、前記低域多原色信号生成部は、前記入力画像における前記一方の画素が前記特定の色を示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る。
【００２５】
ある実施形態において、前記特定の色はダークスキンであり、前記低域多原色信号生成部は、前記入力画像における前記一方の画素がダークスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る。
【００２６】
ある実施形態において、前記特定の色はライトスキンであり、前記低域多原色信号生成部は、前記入力画像における前記一方の画素がライトスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０１以下となるように多原色化を行い得る。
【００２７】
ある実施形態において、前記入力画像における前記隣接した２画素のうちの前記一方の画素が特定の色を示す場合、他方の画素は黒を示している。
【００２８】
ある実施形態において、前記２つの仮想画素のそれぞれは、前記赤サブ画素、前記緑サブ画素、前記青サブ画素および前記黄サブ画素のうちの２つ以上のサブ画素によって構成される。
【００２９】
ある実施形態において、前記画素は、複数の行および複数の列を含むマトリクス状に複数配置されており、前記複数の画素のそれぞれ内で、前記赤サブ画素、前記緑サブ画素、前記青サブ画素および前記黄サブ画素は１行４列に配列されている。
【００３０】
ある実施形態において、本発明による多原色表示装置は、液晶表示装置である。
【００３１】
あるいは、本発明の実施形態による多原色表示装置は、赤サブ画素、緑サブ画素、青サブ画素および黄サブ画素から構成される画素を有し、赤、緑、青および黄の４つの原色を用いてカラー表示を行う多原色表示装置であって、各画素に前記赤サブ画素、前記緑サブ画素、前記青サブ画素および前記黄サブ画素を有する多原色表示パネルと、３原色に対応した入力画像信号を前記４つの原色に対応した多原色画像信号に変換する信号変換回路と、を備え、前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、前記信号変換回路は、前記入力画像信号に基づいて、前記入力画像信号の低域成分が多原色化された信号である低域多原色信号を生成する低域多原色信号生成部と、前記入力画像信号に基づいて、前記入力画像信号の高域成分が輝度変換された信号である高域輝度信号を生成する高域輝度信号生成部と、前記低域多原色信号および前記高域輝度信号に基づいて、前記２つの仮想画素へのレンダリング処理を行うレンダリング処理部と、を有し、前記低域多原色信号生成部は、前記入力画像における前記隣接した２画素のうちの一方の画素および他方の画素の輝度の大小関係と、前記一方の画素に対応する仮想画素および前記他方の画素に対応する仮想画素の輝度の大小関係とが反対にならないように前記低域成分の多原色化を行い得る。
【発明の効果】
【００３２】
本発明の実施形態によると、仮想画素を用いた表示により解像度を向上させることができる多原色表示装置において、入力側と出力側とでの輝度の逆転現象の発生を防止することにある
【図面の簡単な説明】
【００３３】
【図１】本発明の実施形態における液晶表示装置（多原色表示装置）１００を模式的に示すブロック図である。
【図２】液晶表示装置１００が備える多原色表示パネル１０のサブ画素配置の例を示す図である。
【図３】液晶表示装置１００が備える多原色表示パネル１０のサブ画素配置の例を示す図である。
【図４】２つの仮想画素へのサブ画素の振り分けパターンの例を示す図である。
【図５】２つの仮想画素へのサブ画素の振り分けパターンの例を示す図である。
【図６】液晶表示装置１００が備える信号変換回路２０を模式的に示すブロック図である。
【図７】（ａ）〜（ｌ）は、入力画像において奇数列の画素が黒を示し、偶数列の画素がグレー（中間調の無彩色）を示している場合の多原色変換の例を示す図である。
【図８】（ａ）〜（ｌ）は、入力画像において奇数列の画素および偶数列の画素の両方がダークスキンを示している場合（つまり入力画像がダークスキンのべた画像である場合）の多原色変換の例を示す図である。
【図９】（ａ）〜（ｌ）は、入力画像において奇数列の画素が黒を示し、偶数列の画素がダークスキンを示している場合の多原色変換の例を示す図である。
【図１０】多原色表示パネル１０の色再現範囲およびＢＴ．７０９の色域を示す色度図である。
【図１１】（ａ）〜（ｌ）は、入力画像において奇数列の画素が黒を示し、偶数列の画素がダークスキンを示している場合の多原色変換の例を示す図であり、４色変換の際に実施例１のサブ画素輝度の組み合わせが選択される場合を示している。
【図１２】（ａ）〜（ｌ）は、入力画像において奇数列の画素が黒を示し、偶数列の画素がダークスキンを示している場合の多原色変換の例を示す図であり、４色変換の際に実施例２のサブ画素輝度の組み合わせが選択される場合を示している。
【図１３】（ａ）〜（ｌ）は、入力画像において奇数列の画素がダークスキンを示し、偶数列の画素が黒を示している場合の多原色変換の例を示す図であり、４色変換の際に実施例３のサブ画素輝度の組み合わせが選択される場合を示している。
【図１４】（ａ）〜（ｌ）は、入力画像において奇数列の画素が黒を示し、偶数列の画素がダークスキンを示している場合の多原色変換の例を示す図であり、４色変換の際に比較例のサブ画素輝度の組み合わせが選択される場合を示している。
【図１５】（ａ）〜（ｌ）は、入力画像において奇数列の画素が黒を示し、偶数列の画素がダークスキンを示している場合の多原色変換の例を示す図である。
【図１６】６つの原色を用いて表示を行う従来の表示装置８００を模式的に示す図である。
【図１７】特許文献２に開示されている多原色表示装置９００を模式的に示す図である。
【図１８】特許文献２の多原色表示装置９００が備える信号変換回路９２０を模式的に示すブロック図である。
【発明を実施するための形態】
【００３４】
以下、図面を参照しながら本発明の実施形態を説明する。なお、以下では液晶表示装置を例示するが、本発明は液晶表示装置に限定されるものではない。
【００３５】
図１に、本実施形態における液晶表示装置１００を示す。液晶表示装置１００は、図１に示すように、多原色表示パネル１０と、信号変換回路２０とを備え、赤、緑、青および黄の４つの原色を用いて表示を行う多原色表示装置（４原色表示装置）である。
【００３６】
図１には示されていないが、多原色表示パネル１０は、赤サブ画素、緑サブ画素、青サブ画素および黄サブ画素から構成される画素を有する。この画素は、複数の行および複数の列を含むマトリクス状に複数配置されている。図２に、多原色表示パネル１０の具体的な画素構造（サブ画素配列）の例を示す。
【００３７】
図２に示すように、多原色表示パネル１０の各画素Ｐは、４つのサブ画素から構成されており、より具体的には、赤を表示する赤サブ画素Ｒ、緑を表示する緑サブ画素Ｇ、青を表示する青サブ画素Ｂおよび黄を表示する黄サブ画素Ｙｅから構成されている。各画素Ｐ内で、赤サブ画素Ｒ、緑サブ画素Ｇ、青サブ画素Ｂおよび黄サブ画素Ｙｅは、１行４列に配列されている。
【００３８】
なお、図２に示す例では、各画素Ｐ内で、赤サブ画素Ｒ、緑サブ画素Ｇ、青サブ画素Ｂおよび黄サブ画素Ｙｅは、左側から右側に向かってこの順で配列されているが、サブ画素配列はこれに限定されるものではない。例えば、図３に示すように、各画素Ｐ内で、赤サブ画素Ｒ、緑サブ画素Ｇ、青サブ画素Ｂおよび黄サブ画素Ｙｅは、右側から左側に向かってこの順で配列されていてもよい。
【００３９】
信号変換回路２０は、図１に示すように、３原色（ＲＧＢ）に対応した入力画像信号（三原色画像信号）を、４つの原色に対応した画像信号（「多原色画像信号」と称する。）に変換する。信号変換回路２０から出力された多原色画像信号が多原色表示パネル１０に入力され、４つの原色を用いたカラー表示が行われる。信号変換回路２０の具体的な構成については後に詳述する。
【００４０】
本実施形態における液晶表示装置１００は、各画素Ｐを構成する赤サブ画素Ｒ、緑サブ画素Ｇ、青サブ画素Ｂおよび黄サブ画素Ｙｅを２つの仮想画素（「第１仮想画素」および「第２仮想画素」）に振り分け、入力画像における隣接した２画素分の表示をこれら２つの仮想画素によって行うことができる。２つの仮想画素のそれぞれは、赤サブ画素Ｒ、緑サブ画素Ｇ、青サブ画素Ｂおよび黄サブ画素Ｙｅのうちの２つ以上のサブ画素によって構成される。図４に、２つの仮想画素へのサブ画素の振り分けパターンの例を示す。
【００４１】
図４に示すように、赤サブ画素Ｒ、緑サブ画素Ｇ、青サブ画素Ｂおよび黄サブ画素Ｙｅは、２つの仮想画素（第１仮想画素および第２仮想画素）ＶＰ１およびＶＰ２に振り分けられる。第１仮想画素ＶＰ１は、赤サブ画素Ｒ、緑サブ画素Ｇおよび青サブ画素Ｂから構成される。また、第２仮想画素ＶＰ２は、青サブ画素Ｂおよび黄サブ画素Ｙｅから構成される。図４に示す例では、第１仮想画素ＶＰ１および第２仮想画素ＶＰ２は、共通のサブ画素として青サブ画素Ｂを含んでおり、青サブ画素Ｂを共用する。
【００４２】
なお、第１仮想画素ＶＰ１および第２仮想画素ＶＰ２のそれぞれを構成するサブ画素の個数や組み合わせは、図４に示した例に限定されるものではない。また、図４に例示した振り分けパターンでは、第１仮想画素ＶＰ１および第２仮想画素ＶＰ２のそれぞれが、１つの画素Ｐ内で連続する２つ以上のサブ画素によって構成されているが、振り分けパターンはこれに限定されるものではない。
【００４３】
図５に、振り分けパターンの他の例を示す。図５中に示している第１仮想画素ＶＰ１は、左側の画素Ｐの赤サブ画素Ｒ、緑サブ画素Ｇおよび青サブ画素Ｂから構成される。また、第２仮想画素ＶＰ２は、左側の画素Ｐの青サブ画素Ｂおよび黄サブ画素Ｙｅと、右側の画素Ｐの赤サブ画素Ｒから構成される。
【００４４】
図５に示した例では、第２仮想画素ＶＰ２は、２つの画素Ｐにまたがって連続する複数の（ここでは３つの）サブ画素によって構成される。このように、仮想画素が２つの画素Ｐにまたがっていてもよい。
【００４５】
上述したように、液晶表示装置１００は、各画素Ｐを構成する複数のサブ画素（赤サブ画素Ｒ、緑サブ画素Ｇ、青サブ画素Ｂおよび黄サブ画素Ｙｅ）を、２つの仮想画素（第１仮想画素ＶＰ１および第２仮想画素ＶＰ２）に振り分け、各仮想画素により独立して情報を表示することができる。そのため、入力画像における隣接した２画素分の表示をこれら２つの仮想画素によって行うことができる。
【００４６】
次に、信号変換回路２０の具体的な構成を説明する。図６に、信号変換回路２０の具体的な構成の例を示す。
【００４７】
信号変換回路２０は、図６に示すように、低域多原色信号生成部２１と、高域輝度信号生成部２２と、レンダリング処理部２３とを有する。信号変換回路２０は、さらに、γ補正部２４と、逆γ補正部２５とを有する。
【００４８】
信号変換回路２０への入力画像信号は、まず、γ補正部２４によってγ補正処理を施される。γ補正処理を施された画像信号は、次に、低域多原色信号生成部２１と、高域輝度信号生成部２２とにそれぞれ入力される。
【００４９】
低域多原色信号生成部２１は、入力画像信号に基づいて、低域多原色信号を生成する。低域多原色信号は、入力画像信号の低域成分（相対的に空間周波数が低い成分）が多原色化された（つまり４つの原色に対応するように変換がなされた）信号である。
【００５０】
低域多原色信号生成部２１は、具体的には、低域成分抽出部（ここではローパスフィルタ：ＬＰＦ）２６と、多原色変換部２７とを有する。ローパスフィルタ２６は、入力画像信号から低域成分を抽出する。ローパスフィルタ２６によって抽出された入力画像信号の低域成分は、多原色変換部２７によって多原色化される。多原色化された低域成分は、低域多原色信号として出力される。
【００５１】
高域輝度信号生成部２２は、入力画像信号に基づいて、高域輝度信号を生成する。高域輝度信号は、入力画像信号の高域成分（相対的に空間周波数が高い成分）が輝度変換された信号である。
【００５２】
高域輝度信号生成部２２は、具体的には、輝度変換部２８と、高域成分抽出部（ここではハイバスフィルタ：ＨＰＦ）２９とを有する。輝度変換部２８は、入力画像信号を輝度変換して輝度信号を生成する。ハイパスフィルタ２９は、輝度変換部２８によって生成された輝度信号の高域成分を、高域輝度信号として抽出する。
【００５３】
レンダリング処理部２３は、低域多原色信号生成部２１によって生成された低域多原色信号と、高域輝度信号生成部２２によって生成された高域輝度信号とに基づいて、２つの仮想画素へのレンダリング処理を行う。レンダリング処理によって生成された画像信号は、逆γ補正部２５によって逆γ補正を施され、多原色画像信号として出力される。
【００５４】
このように、信号変換回路２０では、色信号に対してよりも輝度信号に対して感度が優れる（つまり輝度の視感度に比べて色差の視感度は低い）という人間の視覚特性を考慮し、入力画像信号の低域成分に対しては多原色化処理を行い、高域成分に対しては輝度変換処理を行う。これらの処理によって得られた低域多原色信号と高域輝度信号とを組み合わせ、仮想画素へレンダリングすることにより、４つの原色に対応した画像信号（多原色画像信号）を出力することができる。
【００５５】
本実施形態の液晶表示装置１００では、低域多原色信号生成部２１は、特定の入力画像信号について、赤サブ画素Ｒ、緑サブ画素Ｇおよび黄サブ画素Ｙｅの輝度が所定の関係を満足するように、低域成分の多原色化を行うことができる。具体的には、低域多原色信号生成部２１は、入力画像における隣接した２画素のうちの一方の画素が特定の色を示す場合、赤サブ画素Ｒの絶対輝度および緑サブ画素Ｇの絶対輝度の和に対する黄サブ画素の絶対輝度の比が、０．５以上２．０以下になるように低域成分の多原色化を行うことができる。
【００５６】
ここで、入力画像信号がどのようなものである場合に、輝度の逆転現象が発生するのかを説明する。
【００５７】
図７は、入力画像において奇数列の画素が黒を示し、偶数列の画素がグレー（中間調の無彩色）を示している場合の多原色変換の例を示す図である。
【００５８】
この場合、入力画像信号では、図７（ａ）に示すように、奇数列の画素については、赤、緑、青の輝度（規格化輝度）がゼロであり、偶数列の画素については、赤、緑、青の輝度（規格化輝度）がゼロよりも大きい同じ値である。
【００５９】
まず、入力画像信号をＬＰＦ（ローパスフィルタ）に通過させ、図７（ｂ）に示すように、赤、緑、青の輝度が２つの画素で平均化された信号とする。この信号を単純に多原色化（４色変換）すると、図７（ｃ）に示すように、赤、緑、青、黄の輝度が同じである（ただしゼロではない）多原色信号（低域多原色信号）が得られる。
【００６０】
一方、入力画像信号から、図７（ｄ）に示すように、赤、緑、青の輝度の最小値に対応する白成分（輝度信号に相当）を抽出する。次に、抽出された白成分を、ＨＰＦ（ハイパスフィルタ）を通過させ、図７（ｅ）に示すような奇数列に対応する分と、図７（ｆ）に示すような偶数列に対応する分とに分離する。続いて、分離された白成分のそれぞれを、図７（ｇ）および（ｈ）に示すように、対応する仮想画素を構成するサブ画素の色の輝度に変換する。つまり、奇数列に対応する白成分は、奇数列に対応する仮想画素を構成するサブ画素の色（赤、緑、青）の輝度に変換し、偶数例に対応する白成分は、偶数列に対応する仮想画素を構成するサブ画素の色（青、黄、赤）の輝度に変換する。奇数列に対応する白成分はゼロであるため、図７（ｇ）に示すように、変換後の各色の輝度もゼロである。これに対し、偶数列に対応する白成分はゼロではないので、図７（ｈ）に示すように、変換後の各色の輝度はゼロではない。その後、図７（ｉ）に示すように、これらを合算する。
【００６１】
合算後の輝度は、低域多原色信号とさらに合算される。ただし、この合算に際しては、入力画像信号から抽出された白成分をＬＰＦに通過させたもの（図７（ｊ）参照）を低域多原色信号から減算し（図７（ｋ）参照）、減算後の輝度（ここではすべての色についてゼロ）が、図７（ｉ）に示す輝度と合算される。その結果、図７（ｌ）に示すような多原色画像信号が出力される。この多原色画像信号によれば、偶数列に対応する仮想画素のみが点灯する。そのため、輝度の逆転現象は発生しない。
【００６２】
図８は、入力画像において奇数列の画素および偶数列の画素の両方がダークスキンを示している場合（つまり入力画像がダークスキンのべた画像である場合）の多原色変換の例を示す図である。
【００６３】
この場合、入力画像信号では、図８（ａ）に示すように、奇数列の画素および偶数列の画素の両方について、赤、緑、青の輝度（規格化輝度）はゼロよりも大きい所定の値である。
【００６４】
まず、入力画像信号をＬＰＦに通過させ、図８（ｂ）に示すように、赤、緑、青の輝度が２つの画素で平均化された信号とする。この信号を多原色化（４色変換）する際、ダークスキンを表現するための４つの原色の輝度の組み合わせは多数存在するが、図８（ｃ）に示すように、その中でも視野角特性に優れた組み合わせ（ここではＲ＝０．０４２、Ｇ＝０．０５０、Ｂ＝０．００３、Ｙｅ＝０．００４）を選択し、多原色信号（低域多原色信号）を得る。
【００６５】
一方、入力画像信号から、図８（ｄ）に示すように、赤、緑、青の輝度の最小値に対応する白成分（輝度信号に相当）を抽出する。次に、抽出された白成分を、ＨＰＦを通過させ、図８（ｅ）に示すような奇数列に対応する分と、図８（ｆ）に示すような偶数列に対応する分とに分離する。続いて、分離された白成分のそれぞれを、図８（ｇ）および（ｈ）に示すように、対応する仮想画素を構成するサブ画素の色の輝度に変換する。つまり、奇数列に対応する白成分は、奇数列に対応する仮想画素を構成するサブ画素の色（赤、緑、青）の輝度に変換し、偶数例に対応する白成分は、偶数列に対応する仮想画素を構成するサブ画素の色（青、黄、赤）の輝度に変換する。奇数列に対応する白成分および偶数列に対応する白成分はいずれもゼロでないため、図８（ｇ）および（ｈ）に示すように、変換後の各色の輝度はゼロではない。その後、図８（ｉ）に示すように、これらを合算する。
【００６６】
合算後の輝度は、低域多原色信号とさらに合算される。ただし、この合算に際しては、入力画像信号から抽出された白成分をＬＰＦに通過させたもの（図８（ｊ）参照）を低域多原色信号から減算し（図８（ｋ）参照）、減算後の輝度（ここでは赤、緑、青が正、黄が負）が、図８（ｉ）に示す輝度と合算される。その結果、図８（ｌ）に示すような多原色画像信号が出力される。この多原色画像信号によれば、奇数列に対応する仮想画素および偶数列に対応する仮想画素の両方が点灯する。
【００６７】
図８に示した例では、入力側では、隣接する２つの画素の輝度が互いに同じであるのに対し、出力側では、２つの仮想画素の輝度は互いに大きく異なる。ただし、高周波成分を含まないべた画像であるので、問題とならない。また、図８（ｃ）と図８（ｌ）との比較からわかるように、出力画像信号における赤、緑、青、黄の輝度（図８（ｌ）の輝度）は、視野角特性に優れた組み合わせそのもの（つまり図８（ｃ）の輝度と同じ）であるため、図８に示した例では、優れた視野角特性が維持される。
【００６８】
図９は、入力画像において奇数列の画素が黒を示し、偶数列の画素がダークスキンを示している場合の多原色変換の例を示す図である。
【００６９】
この場合、入力画像信号では、図９（ａ）に示すように、奇数列の画素については、赤、緑、青の輝度（規格化輝度）がゼロであり、偶数列の画素については、赤、緑、青の輝度（規格化輝度）がゼロよりも大きい所定の値である。
【００７０】
まず、入力画像信号をＬＰＦに通過させ、図９（ｂ）に示すように、赤、緑、青の輝度が２つの画素で平均化された信号とする。この信号を多原色化（４色変換）する際、図９（ｃ）に示すように、視野角特性に優れた組み合わせ（ここではＲ＝０．０４２、Ｇ＝０．０５０、Ｂ＝０．００３、Ｙｅ＝０．００４）を選択し、多原色信号（低域多原色信号）を得る。
【００７１】
一方、入力画像信号から、図９（ｄ）に示すように、赤、緑、青の輝度の最小値に対応する白成分（輝度信号に相当）を抽出する。次に、抽出された白成分を、ＨＰＦを通過させ、図９（ｅ）に示すような奇数列に対応する分と、図９（ｆ）に示すような偶数列に対応する分とに分離する。続いて、分離された白成分のそれぞれを、図９（ｇ）および（ｈ）に示すように、対応する仮想画素を構成するサブ画素の色の輝度に変換する。つまり、奇数列に対応する白成分は、奇数列に対応する仮想画素を構成するサブ画素の色（赤、緑、青）の輝度に変換し、偶数例に対応する白成分は、偶数列に対応する仮想画素を構成するサブ画素の色（青、黄、赤）の輝度に変換する。奇数列に対応する白成分はゼロであるため、図９（ｇ）に示すように、変換後の各色の輝度もゼロである。これに対し、偶数列に対応する白成分はゼロではないので、図９（ｈ）に示すように、変換後の各色の輝度はゼロではない。その後、図９（ｉ）に示すように、これらを合算する。
【００７２】
合算後の輝度は、低域多原色信号とさらに合算される。ただし、この合算に際しては、入力画像信号から抽出された白成分をＬＰＦに通過させたもの（図９（ｊ）参照）を低域多原色信号から減算し（図９（ｋ）参照）、減算後の輝度（ここでは赤、緑、青が正、黄が負）が、図９（ｉ）に示す輝度と合算される。その結果、図９（ｌ）に示すような多原色画像信号が出力される。この多原色画像信号によれば、奇数列に対応する仮想画素および偶数列に対応する仮想画素の両方が点灯する。また、奇数列に対応する仮想画素の輝度の方が、偶数列に対応する仮想画素の輝度よりも高い。そのため、輝度の逆転現象が発生する。また、この場合、図９（ｃ）と図９（ｌ）との比較からわかるように、出力画像信号における赤、緑、青、黄の輝度（図９（ｌ）の輝度）は、視野角特性に優れた組み合わせではないことがあり（図９（ｃ）の輝度とは異なるため）、図９に示した例では、視野角特性が低下することもある。ただし、図９に例示されている、一本線のような高周波の画像の場合、視野角特性が悪くても表示上の問題とはならない（あまり気にならない）。
【００７３】
上述したように、図９に示したような入力画像信号の場合、輝度の逆転現象が発生する。
【００７４】
これに対し、本実施形態の液晶表示装置１００では、低域多原色信号生成部２１が、特定の入力画像信号について（入力画像における隣接した２画素のうちの一方の画素が特定の色を示す場合）、赤サブ画素Ｒの絶対輝度および緑サブ画素Ｇの絶対輝度の和に対する黄サブ画素Ｙｅの絶対輝度の比が、０．５以上２．０以下になるように低域成分の多原色化を行うことにより、上述したような輝度の逆転現象の発生を防止することができる。つまり、低域多原色信号生成部２１は、入力画像における隣接した２画素の輝度の大小関係と、それら２画素に対応する２つの仮想画素の輝度の大小関係とが反対にならないように低域成分の多原色化を行うことができる。
【００７５】
以下、具体的な実施例に基づいて、輝度の逆転現象の発生が防止される理由を説明する。下記表１に、本実施形態の多原色表示パネル１０の赤サブ画素Ｒ、緑サブ画素Ｇ、青サブ画素Ｂ、黄サブ画素Ｙｅによって表示される赤、緑、青、黄、および、画素Ｐによって表示される白の色度ｘ、ｙおよび三刺激値Ｘ、Ｙ、Ｚを示す。また、図１０に、本実施形態の多原色表示パネル１０の色再現範囲を示す。なお、図１０には、ＢＴ．７０９の色域も示されている。また、下記表２に、ＢＴ．７０９における原色（赤、緑、青）および白（Ｄ６５標準光源）の色度ｘ、ｙおよび三刺激値Ｘ、Ｙ、Ｚを示す。
【００７６】
【表１】
2015197461.tif 000003
【００７７】
【表２】
2015197461.tif 000004
【００７８】
以下では、入力画像における一方の画素がダークスキンまたはライトスキンを示し、他方の画素が黒を示す場合を例示する。ここでいう「ダークスキン」および「ライトスキン」は、マクベスチャートにおけるダークスキンおよびライトスキンである。
【００７９】
下記表３に、三原色画像信号でダークスキンを表したときの赤、緑、青の階調および輝度（規格化輝度）を示し、下記表４に、ダークスキンの色度ｘ、ｙおよび三刺激値Ｘ、Ｙ、Ｚを示す。
【００８０】
【表３】
2015197461.tif 000005
【００８１】
【表４】
2015197461.tif 000006
【００８２】
また、下記表５に、三原色画像信号でライトスキンを表したときの赤、緑、青の階調および輝度（規格化輝度）を示し、下記表６に、ライトスキンの色度ｘ、ｙおよび三刺激値Ｘ、Ｙ、Ｚを示す。
【００８３】
【表５】
2015197461.tif 000007
【００８４】
【表６】
2015197461.tif 000008
【００８５】
なお、ダークスキンおよびライトスキンの色度および三刺激値は、表４および表６に例示したものと厳密に同じでなくてもよく、例えば、ダークスキンおよびライトスキンの色度は、表４および表６に例示した値から０．０２程度前後してもよく、ダークスキンおよびライトスキンのＹ値は、表４および表６に例示した値からそれぞれ０．００５、０．０１程度前後してもよい。
【００８６】
（実施形態１：ダークスキン）
表７に、ダークスキンを表示するための、赤サブ画素Ｒ、緑サブ画素Ｇ、青サブ画素Ｂ、黄サブ画素Ｙｅの階調および輝度の組み合わせの例（♯１D〜♯１０D）を示す。表７には、輝度として、規格化輝度および絶対輝度の２種類の輝度を示している。規格化輝度は、各色の最高階調の輝度を１として規格化した輝度であり、絶対輝度は、規格化輝度に各色のＹ値を乗じたものである。また、表７には、各例について、赤サブ画素Ｒの絶対輝度および緑サブ画素Ｇの絶対輝度の和と、黄サブ画素Ｙｅの絶対輝度との比（Ｒ＋Ｇ：Ｙｅ）も併せて示されている。さらに、表８に、ダークスキンを正面方向から見たときの色度ｘ、ｙおよびＹ値と、斜め６０°方向から見たときの色度ｘ、ｙおよびＹ値とを示す。また、表８には、ダークスキンを正面方向から見たときの色度を示す色度座標（u', v'）と斜め６０°方向から見たときの色度を示す色度座標（u60', v60'）とによって規定される色差Δu'v'（＝（（u'-u60'）2＋（v'-v60'）2）1/2）も併せて示されている。
【００８７】
【表７】
2015197461.tif 000009
【００８８】
【表８】
2015197461.tif 000010
【００８９】
本実施形態の液晶表示装置１００では、低域多原色信号生成部２１は、入力画像における隣接した２画素のうちの一方の画素がダークスキンを示す場合、赤サブ画素Ｒの絶対輝度および緑サブ画素Ｇの絶対輝度の和に対する黄サブ画素Ｙｅの絶対輝度の比が、０．５以上２．０以下になるように低域成分の多原色化を行う。つまり、表７に示されている組み合わせのうち、１番目および８番目〜１０番目の組み合わせ（♯１D、♯８D〜♯１０D）ではなく、２番目〜７番目の組み合わせ（♯２D〜♯７D）を選択するように多原色化を行う。
【００９０】
（実施形態２：ライトスキン）
表９に、ライトスキンを表示するための、赤サブ画素Ｒ、緑サブ画素Ｇ、青サブ画素Ｂ、黄サブ画素Ｙｅの階調および輝度の組み合わせの例（♯１L〜♯１１L）を示す。表９には、輝度として、規格化輝度および絶対輝度の２種類の輝度を示している。また、表９には、各例について、赤サブ画素Ｒの絶対輝度および緑サブ画素Ｇの絶対輝度の和と、黄サブ画素Ｙｅの絶対輝度との比（Ｒ＋Ｇ：Ｙｅ）も併せて示されている。さらに、表１０に、ライトスキンを正面方向から見たときの色度ｘ、ｙおよびＹ値と、斜め６０°方向から見たときの色度ｘ、ｙおよびＹ値とを示す。また、表１０には、ライトスキンを正面方向から見たときの色度を示す色度座標（u', v'）と斜め６０°方向から見たときの色度を示す色度座標（u60', v60'）とによって規定される色差Δu'v'（＝（（u'-u60'）2＋（v'-v60'）2）1/2）も併せて示されている。
【００９１】
【表９】
2015197461.tif 000011
【００９２】
【表１０】
2015197461.tif 000012
【００９３】
本実施形態の液晶表示装置１００では、低域多原色信号生成部２１は、入力画像における隣接した２画素のうちの一方の画素がライトスキンを示す場合、赤サブ画素Ｒの絶対輝度および緑サブ画素Ｇの絶対輝度の和に対する黄サブ画素Ｙｅの絶対輝度の比が、０．５以上２．０以下になるように低域成分の多原色化を行う。つまり、表９に示されている組み合わせのうち、１番目、２番目、１０番目および１１番目の組み合わせ（♯１L、♯２L、♯１０L、♯１１L）ではなく、３番目〜９番目の組み合わせ（♯３L〜♯９L）を選択するように多原色化を行う。
【００９４】
上述したような多原色変換を行うことにより、輝度の逆転現象の発生を防止することができる。以下、このことを、表７中に示している５番目、７番目および２番目の組み合わせ（♯５D、♯７D、♯２D；以下ではそれぞれ実施例１、実施例２、実施例３と呼ぶ）を例としてより具体的な説明を行う。
【００９５】
図１１は、入力画像において奇数列の画素が黒を示し、偶数列の画素がダークスキンを示している場合の多原色変換の例を示す図である。
【００９６】
この場合、入力画像信号では、図１１（ａ）に示すように、奇数列の画素については、赤、緑、青の輝度（規格化輝度）がゼロであり、偶数列の画素については、赤、緑、青の輝度（規格化輝度）がゼロよりも大きい所定の値である。ここでは、偶数列の画素における赤、緑、青の輝度の最大値は０．１２３である。
【００９７】
まず、入力画像信号をＬＰＦに通過させ、図１１（ｂ）に示すように、赤、緑、青の輝度が２つの画素で平均化された信号とする。この信号を多原色化（４色変換）する際、図１１（ｃ）に示すように、赤サブ画素Ｒの絶対輝度および緑サブ画素Ｇの絶対輝度の和に対する黄サブ画素Ｙｅの絶対輝度の比が１になる組み合わせ（つまりＲ＋Ｇ：Ｙｅ＝１：１の組み合わせ）である実施例１（Ｒ＝０．０３３、Ｇ＝０．０１５、Ｂ＝０．００５、Ｙｅ＝０．０４８）を選択し、多原色信号（低域多原色信号）を得る。
【００９８】
一方、入力画像信号から、図１１（ｄ）に示すように、赤、緑、青の輝度の最小値に対応する白成分（輝度信号に相当）を抽出する。ここでは、白成分の輝度（規格化輝度）は０．０４４（最大輝度の約１／３）である。次に、抽出された白成分を、ＨＰＦを通過させ、図１１（ｅ）に示すような奇数列に対応する分と、図１１（ｆ）に示すような偶数列に対応する分とに分離する。続いて、分離された白成分のそれぞれを、図１１（ｇ）および（ｈ）に示すように、対応する仮想画素を構成するサブ画素の色の輝度に変換する。つまり、奇数列に対応する白成分は、奇数列に対応する仮想画素を構成するサブ画素の色（赤、緑、青）の輝度に変換し、偶数例に対応する白成分は、偶数列に対応する仮想画素を構成するサブ画素の色（青、黄、赤）の輝度に変換する。奇数列に対応する白成分はゼロであるため、図１１（ｇ）に示すように、変換後の各色の輝度もゼロである。これに対し、偶数列に対応する白成分はゼロではなく、図１１（ｈ）に示すように、変換後の青、黄、赤の輝度（絶対輝度）はそれぞれ０．０２４、０．０４２、０．００３である。その後、図１１（ｉ）に示すように、これらを合算する。
【００９９】
合算後の輝度は、低域多原色信号とさらに合算される。ただし、この合算に際しては、入力画像信号から抽出された白成分をＬＰＦに通過させたもの（図１１（ｊ）に示すように赤、緑、青、黄の絶対輝度に換算するとそれぞれ０．００７、０．０１４、０．００４、０．０１９）を低域多原色信号から減算し、減算後の輝度（図１１（ｋ）に示すように、ここでは赤、緑、青、黄がそれぞれ０．０２６、０．００１、０．００１、０．０２９）が、図１１（ｉ）に示す輝度と合算される。その結果、図１１（ｌ）に示すような多原色画像信号（Ｒ＝０．０２６＋（０．００３）、Ｇ＝０．００１、Ｂ＝０．０２５、Ｙｅ＝０．０７１）が出力される。この多原色画像信号によれば、奇数列に対応する仮想画素および偶数列に対応する仮想画素の両方が点灯する。また、赤サブ画素Ｒの輝度と緑サブ画素の輝度との和（＝０．０２７；隣接画素Ｐの赤サブ画素Ｒの輝度（＝０．００３）は除いている）よりも黄サブ画素Ｙｅの輝度（＝０．０７１）の方が高いことからわかるように、奇数列に対応する仮想画素の輝度よりも、偶数列に対応する仮想画素の輝度の方が高い。そのため、輝度の逆転現象が発生しない。
【０１００】
図１２は、入力画像において奇数列の画素が黒を示し、偶数列の画素がダークスキンを示している場合の多原色変換の例を示す図である。
【０１０１】
この場合、入力画像信号では、図１２（ａ）に示すように、奇数列の画素については、赤、緑、青の輝度（規格化輝度）がゼロであり、偶数列の画素については、赤、緑、青の輝度（規格化輝度）がゼロよりも大きい所定の値である。ここでは、偶数列の画素における赤、緑、青の輝度の最大値は０．１２３である。
【０１０２】
まず、入力画像信号をＬＰＦに通過させ、図１２（ｂ）に示すように、赤、緑、青の輝度が２つの画素で平均化された信号とする。この信号を多原色化（４色変換）する際、図１２（ｃ）に示すように、赤サブ画素Ｒの絶対輝度および緑サブ画素Ｇの絶対輝度の和に対する黄サブ画素Ｙｅの絶対輝度の比が０．５になる組み合わせ（つまりＲ＋Ｇ：Ｙｅ＝１：０．５の組み合わせ）である実施例２（Ｒ＝０．０３６、Ｇ＝０．０２７、Ｂ＝０．００５、Ｙｅ＝０．０３３）を選択し、多原色信号（低域多原色信号）を得る。
【０１０３】
一方、入力画像信号から、図１２（ｄ）に示すように、赤、緑、青の輝度の最小値に対応する白成分（輝度信号に相当）を抽出する。ここでは、白成分の輝度（規格化輝度）は０．０４４（最大輝度の約１／３）である。次に、抽出された白成分を、ＨＰＦを通過させ、図１２（ｅ）に示すような奇数列に対応する分と、図１２（ｆ）に示すような偶数列に対応する分とに分離する。続いて、分離された白成分のそれぞれを、図１２（ｇ）および（ｈ）に示すように、対応する仮想画素を構成するサブ画素の色の輝度に変換する。つまり、奇数列に対応する白成分は、奇数列に対応する仮想画素を構成するサブ画素の色（赤、緑、青）の輝度に変換し、偶数例に対応する白成分は、偶数列に対応する仮想画素を構成するサブ画素の色（青、黄、赤）の輝度に変換する。奇数列に対応する白成分はゼロであるため、図１２（ｇ）に示すように、変換後の各色の輝度もゼロである。これに対し、偶数列に対応する白成分はゼロではなく、図１２（ｈ）に示すように、変換後の青、黄、赤の輝度（絶対輝度）はそれぞれ０．０２４、０．０４２、０．００３である。その後、図１２（ｉ）に示すように、これらを合算する。
【０１０４】
合算後の輝度は、低域多原色信号とさらに合算される。ただし、この合算に際しては、入力画像信号から抽出された白成分をＬＰＦに通過させたもの（図１２（ｊ）に示すように赤、緑、青、黄の絶対輝度に換算するとそれぞれ０．００７、０．０１４、０．００４、０．０１９）を低域多原色信号から減算し、減算後の輝度（図１２（ｋ）に示すように、ここでは赤、緑、青、黄がそれぞれ０．０２９、０．０１３、０．００１、０．０１４）が、図１２（ｉ）に示す輝度と合算される。その結果、図１２（ｌ）に示すような多原色画像信号（Ｒ＝０．０２９＋（０．００３）、Ｇ＝０．０１３、Ｂ＝０．０２５、Ｙｅ＝０．０５６）が出力される。この多原色画像信号によれば、奇数列に対応する仮想画素および偶数列に対応する仮想画素の両方が点灯する。また、赤サブ画素Ｒの輝度と緑サブ画素の輝度との和（＝０．０４２）よりも黄サブ画素Ｙｅの輝度（＝０．０５６）の方が高いことからわかるように、奇数列に対応する仮想画素の輝度よりも、偶数列に対応する仮想画素の輝度の方が高い。そのため、輝度の逆転現象が発生しない。
【０１０５】
図１３は、入力画像において奇数列の画素がダークスキンを示し、偶数列の画素が黒を示している場合の多原色変換の例を示す図である。
【０１０６】
この場合、入力画像信号では、図１３（ａ）に示すように、奇数列の画素については、赤、緑、青の輝度（規格化輝度）がゼロよりも大きい所定の値であり、偶数列の画素については、赤、緑、青の輝度（規格化輝度）がゼロである。ここでは、奇数列の画素における赤、緑、青の輝度の最大値は０．１２３である。
【０１０７】
まず、入力画像信号をＬＰＦに通過させ、図１３（ｂ）に示すように、赤、緑、青の輝度が２つの画素で平均化された信号とする。この信号を多原色化（４色変換）する際、図１３（ｃ）に示すように、赤サブ画素Ｒの絶対輝度および緑サブ画素Ｇの絶対輝度の和に対する黄サブ画素Ｙｅの絶対輝度の比が２になる組み合わせ（つまりＲ＋Ｇ：Ｙｅ＝１：２の組み合わせ）である実施例３（Ｒ＝０．０２９、Ｇ＝０．００３、Ｂ＝０．００５、Ｙｅ＝０．０６４）を選択し、多原色信号（低域多原色信号）を得る。
【０１０８】
一方、入力画像信号から、図１３（ｄ）に示すように、赤、緑、青の輝度の最小値に対応する白成分（輝度信号に相当）を抽出する。ここでは、白成分の輝度（規格化輝度）は０．０４４（最大輝度の約１／３）である。次に、抽出された白成分を、ＨＰＦを通過させ、図１３（ｅ）に示すような奇数列に対応する分と、図１３（ｆ）に示すような偶数列に対応する分とに分離する。続いて、分離された白成分のそれぞれを、図１３（ｇ）および（ｈ）に示すように、対応する仮想画素を構成するサブ画素の色の輝度に変換する。つまり、奇数列に対応する白成分は、奇数列に対応する仮想画素を構成するサブ画素の色（赤、緑、青）の輝度に変換し、偶数例に対応する白成分は、偶数列に対応する仮想画素を構成するサブ画素の色（青、黄、赤）の輝度に変換する。奇数列に対応する白成分はゼロではなく、図１３（ｇ）に示すように、変換後の赤、緑、青の輝度（絶対輝度）はそれぞれ０．０１２、０．０３２、０．００３である。これに対し、偶数列に対応する白成分はゼロであるため、図１３（ｈ）に示すように、変換後の各色の輝度もゼロである。その後、図１３（ｉ）に示すように、これらを合算する。
【０１０９】
合算後の輝度は、低域多原色信号とさらに合算される。ただし、この合算に際しては、入力画像信号から抽出された白成分をＬＰＦに通過させたもの（図１３（ｊ）に示すように赤、緑、青、黄の絶対輝度に換算するとそれぞれ０．００７、０．０１４、０．００４、０．０１９）を低域多原色信号から減算し、減算後の輝度（図１３（ｋ）に示すように、ここでは赤、緑、青、黄がそれぞれ０．０２２、−０．０１１、０．００１、０．０４５）が、図１３（ｉ）に示す輝度と合算される。その結果、図１３（ｌ）に示すような多原色画像信号（Ｒ＝０．０３１、Ｇ＝０．０２１、Ｂ＝０．００４、Ｙｅ＝０．０４５）が出力される。この多原色画像信号によれば、奇数列に対応する仮想画素および偶数列に対応する仮想画素の両方が点灯する。また、赤サブ画素Ｒの輝度と緑サブ画素の輝度との和（＝０．０５２）よりも黄サブ画素Ｙｅの輝度（＝０．０４５）の方が低いことからわかるように、奇数列に対応する仮想画素の輝度よりも、偶数列に対応する仮想画素の輝度の方が低い。そのため、輝度の逆転現象が発生しない。
【０１１０】
上述したように、信号変換回路２０の低域多原色信号生成部２１が、実施例１、２または３の輝度の組み合わせを選択することにより、輝度の逆転現象の発生を防止することができる。
【０１１１】
これに対し、例えば、表７における９番目の組み合わせ（♯９D；以下では比較例と呼ぶ）が選択された場合、輝度の逆転現象が発生してしまう。
【０１１２】
図１４は、入力画像において奇数列の画素が黒を示し、偶数列の画素がダークスキンを示している場合の多原色変換の例を示す図である。
【０１１３】
この場合、入力画像信号では、図１４（ａ）に示すように、奇数列の画素については、赤、緑、青の輝度（規格化輝度）がゼロであり、偶数列の画素については、赤、緑、青の輝度（規格化輝度）がゼロよりも大きい所定の値である。ここでは、偶数列の画素における赤、緑、青の輝度の最大値は０．１２３である。
【０１１４】
まず、入力画像信号をＬＰＦに通過させ、図１４（ｂ）に示すように、赤、緑、青の輝度が２つの画素で平均化された信号とする。この信号を多原色化（４色変換）する際、図１４（ｃ）に示すように、赤サブ画素Ｒの絶対輝度および緑サブ画素Ｇの絶対輝度の和に対する黄サブ画素Ｙｅの絶対輝度の比が０．０１になる組み合わせ（つまりＲ＋Ｇ：Ｙｅ＝１：０．０１の組み合わせ）である比較例（Ｒ＝０．０４２、Ｇ＝０．０５４、Ｂ＝０．００５、Ｙｅ＝０．００１）を選択し、多原色信号（低域多原色信号）を得る。
【０１１５】
一方、入力画像信号から、図１４（ｄ）に示すように、赤、緑、青の輝度の最小値に対応する白成分（輝度信号に相当）を抽出する。ここでは、白成分の輝度（規格化輝度）は０．０４４（最大輝度の約１／３）である。次に、抽出された白成分を、ＨＰＦを通過させ、図１４（ｅ）に示すような奇数列に対応する分と、図１４（ｆ）に示すような偶数列に対応する分とに分離する。続いて、分離された白成分のそれぞれを、図１４（ｇ）および（ｈ）に示すように、対応する仮想画素を構成するサブ画素の色の輝度に変換する。つまり、奇数列に対応する白成分は、奇数列に対応する仮想画素を構成するサブ画素の色（赤、緑、青）の輝度に変換し、偶数例に対応する白成分は、偶数列に対応する仮想画素を構成するサブ画素の色（青、黄、赤）の輝度に変換する。奇数列に対応する白成分はゼロであるため、図１４（ｇ）に示すように、変換後の各色の輝度もゼロである。これに対し、偶数列に対応する白成分はゼロではなく、図１４（ｈ）に示すように、変換後の青、黄、赤の輝度（絶対輝度）はそれぞれ０．０２４、０．０４２、０．００３である。その後、図１４（ｉ）に示すように、これらを合算する。
【０１１６】
合算後の輝度は、低域多原色信号とさらに合算される。ただし、この合算に際しては、入力画像信号から抽出された白成分をＬＰＦに通過させたもの（図１４（ｊ） に示すように赤、緑、青、黄の絶対輝度に換算するとそれぞれ０．００７、０．０１４、０．００４、０．０１９）を低域多原色信号から減算し、減算後の輝度（図１４（ｋ）に示すように、ここでは赤、緑、青、黄がそれぞれ０．０３５、０．０４０、０．００１、−０．０１８）が、図１４（ｉ）に示す輝度と合算される。その結果、図１４（ｌ）に示すような多原色画像信号（Ｒ＝０．０３５＋（０．００３）、Ｇ＝０．０４０、Ｂ＝０．０２５、Ｙｅ＝０．０２４）が出力される。この多原色画像信号によれば、奇数列に対応する仮想画素および偶数列に対応する仮想画素の両方が点灯する。また、黄サブ画素Ｙｅの輝度（＝０．０２４）よりも赤サブ画素Ｒの輝度と緑サブ画素の輝度との和（＝０．０７５）の方が高いことからわかるように、偶数列に対応する仮想画素の輝度よりも、奇数列に対応する仮想画素の輝度の方が高い。そのため、輝度の逆転現象が発生する。
【０１１７】
上述したように、本実施形態の液晶表示装置１００では、低域多原色信号生成部２１が、入力画像における隣接した２画素のうちの一方の画素が特定の色を示す場合に、赤サブ画素Ｒの絶対輝度および緑サブ画素Ｇの絶対輝度の和に対する黄サブ画素Ｙｅの絶対輝度の比が、０．５以上２．０以下になるように低域成分の多原色化を行うことにより、輝度の逆転現象の発生を防止することができる。
【０１１８】
なお、赤サブ画素Ｒの絶対輝度および緑サブ画素Ｇの絶対輝度の和に対する黄サブ画素Ｙｅの絶対輝度の比は、上記の範囲内（０．５以上２．０以下）であれば、特に限定されない。実施例１のように１（あるいは実質的に１）であってもよいし、実施例２のように０．５であってもよいし、実施例３のように２であってもよい。赤サブ画素Ｒの絶対輝度および緑サブ画素Ｇの絶対輝度の和に対する黄サブ画素Ｙｅの絶対輝度の比が０．５以上２．０以下であれば、白成分が全体輝度の１／３以上の色について、輝度の逆転現象が発生しない。
【０１１９】
ここで、図１５を参照しながら、上記の範囲の下限値（０．５）および上限値（２．０）の意義を説明する。図１５（ａ）〜（ｌ）は、入力画像において奇数列の画素が有彩色を示し、偶数列の画素が黒を示している場合の多原色変換の例を示す図であり、最も極端な例として、奇数列の画素における赤および緑の相対輝度（規格化輝度）が同じで、且つ、赤、緑および青の相対輝度の最大値に対して相対輝度の最少値が１／３である例を示している。相対輝度の最小値が最大値の１／３以下になると、白成分に対して色成分が２倍以上（１／３に対して２／３以上）となるので、２つの仮想画素に相対輝度が均等に分配されたときに、色成分が白成分を上回ることとなり、解像度向上の効果が得られにくくなってしまう。そのため、ここでは、相対輝度の最小値が最大値の１／３である例を示している。また、図１５では、計算後に赤および緑の絶対輝度の和が最も大きくなるように、赤および緑の相対輝度が同じである例を示している。
【０１２０】
ここでは、図１５（ａ）に示すように、入力画像の奇数列における赤および緑の相対輝度を１としており（参照）、図１５（ｄ）に示すように、白成分を抽出するとその大きさ（相対輝度）は０．３３となる。この白成分（相対輝度０．３３）は、図１５（ｊ）に示すように、２画素に均等に振り分けられる。これは、白成分を相対輝度から絶対輝度に換算する際に、赤および緑と、黄とが、ほぼ半分ずつとなることを仮定している（図１１および１２からも、ほぼ半分になることがわかる）。
【０１２１】
また、低域成分の多原色化の際には、図１５（ｃ）に示すように、赤および緑の絶対輝度の和に対する黄の絶対輝度の比が２．０となる組み合わせ（つまりＲ＋Ｇ：Ｙｅ＝１：２となる組み合わせ）を選択するので、それぞれの絶対輝度は、０．３３、０．６６となる。そして、図１５（ｋ）に示すように、これまでの例にならって、奇数列の画素については０．３３から０．１５を減算し、偶数列の画素については０．６６から０．１５を減算するので、減算後の赤および緑の絶対輝度の和は０．１８、黄の絶対輝度は０．５１となる。得られた値に対し、奇数列の画素について０．３３（図１５（ｉ）参照）を加算すると、それぞれの絶対輝度が０．５１、０．５１となり、輝度の逆転現象がぎりぎり発生しないことがわかる。これに対し、低域成分の多原色化の際、仮に、赤の絶対輝度および緑の絶対輝度の和に対する黄の絶対輝度の比が２．０を超える組み合わせを選択すると、輝度の逆転現象が発生してしまう。そのため、赤サブ画素Ｒの絶対輝度および緑サブ画素Ｇの絶対輝度の和に対する黄サブ画素Ｙｅの絶対輝度の比は、２．０以下であることが好ましい。同様の理由から、赤の絶対輝度および緑の絶対輝度の和に対する黄の絶対輝度の比が０．５未満であると、輝度の逆転現象が発生してしまうので、赤サブ画素Ｒの絶対輝度および緑サブ画素Ｇの絶対輝度の和に対する黄サブ画素Ｙｅの絶対輝度の比は、０．５以上であることが好ましい。
【０１２２】
なお、上記の説明では、入力画像における隣接した２画素のうちの一方の画素が示す特定の色がダークスキンまたはライトスキンである場合を例示したが、勿論、本発明の実施形態はこれに限定されるものではない。上記特定の色は、典型的には、有彩色であり、且つ、青の規格化輝度が、赤の規格化輝度および緑の規格化輝度のうちの大きい方の１／３よりも大きい色（つまりＢ＞ＭＡＸ（Ｒ，Ｇ）／３の色）である。表３からわかるように、ダークスキンは、青の規格化輝度が、赤の規格化輝度および緑の規格化輝度のうちの大きい方の１／３よりも大きい色である（０．０９２＞０．２６７／３である）。また、表５からわかるように、ライトスキンも、青の規格化輝度が、赤の規格化輝度および緑の規格化輝度のうちの大きい方の１／３よりも大きい色である（０．３１１＞０．６３２／３）。
【０１２３】
また、上記の説明では、入力画像における隣接した２画素のうちの他方の画素が示す色が黒である場合を例示したが、本発明の実施形態はこれに限定されるものではない。他方の画素が示す色は、上記特定の色であってもよい。つまり、入力画像は、上記特定の色のべた画像であってもよい。
【０１２４】
なお、高い視野角特性を実現する観点からは、低域多原色信号生成部２１は、入力画像における一方の画素が特定の色を示す場合、低域多原色信号によって表わされる色を正面方向から見たときの色度を示す色度座標（u', v'）と斜め６０°方向から見たときの色度を示す色度座標（u60', v60'）とによって規定される色差Δu'v'（＝（（u'-u60'）2＋（v'-v60'）2）1/2が０．０３以下となるように多原色化を行うことが好ましい。表７および表８の２番目〜６番目の組み合わせ（♯２D〜♯６D）や、表９および表１０の３番目〜９番目の組み合わせ（♯３L〜♯９L）は、この条件を満足している。
【０１２５】
また、同様の観点から、低域多原色信号生成部２１は、入力画像における一方の画素がダークスキンを示す場合、低域多原色信号によって表わされる色を正面方向から見たときの色度を示す色度座標（u', v'）と斜め６０°方向から見たときの色度を示す色度座標（u60', v60'）とによって規定される色差Δu'v'が０．０３以下となるように多原色化を行うことが好ましい。表７および表８の２番目〜６番目の組み合わせ（♯２D〜♯６D）は、この条件を満足している。
【０１２６】
また、同様の観点から、低域多原色信号生成部２１は、入力画像における一方の画素がライトスキンを示す場合、低域多原色信号によって表わされる色を正面方向から見たときの色度を示す色度座標（u', v'）と斜め６０°方向から見たときの色度を示す色度座標（u60', v60'）とによって規定される色差Δu'v'が０．０１以下となるように多原色化を行うことが好ましい。表９および表１０の３番目〜９番目の組み合わせ（♯３L〜♯９L）は、この条件を満足している。
【０１２７】
本明細書は、以下の項目に記載の多原色表示装置を開示している。
【０１２８】
［項目１］
赤サブ画素、緑サブ画素、青サブ画素および黄サブ画素から構成される画素を有し、赤、緑、青および黄の４つの原色を用いてカラー表示を行う多原色表示装置であって、
各画素に前記赤サブ画素、前記緑サブ画素、前記青サブ画素および前記黄サブ画素を有する多原色表示パネルと、
３原色に対応した入力画像信号を前記４つの原色に対応した多原色画像信号に変換する信号変換回路と、を備え、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、
前記信号変換回路は、
前記入力画像信号に基づいて、前記入力画像信号の低域成分が多原色化された信号である低域多原色信号を生成する低域多原色信号生成部と、
前記入力画像信号に基づいて、前記入力画像信号の高域成分が輝度変換された信号である高域輝度信号を生成する高域輝度信号生成部と、
前記低域多原色信号および前記高域輝度信号に基づいて、前記２つの仮想画素へのレンダリング処理を行うレンダリング処理部と、を有し、
前記低域多原色信号生成部は、前記入力画像における前記隣接した２画素のうちの一方の画素が特定の色を示す場合、前記赤サブ画素の絶対輝度および前記緑サブ画素の絶対輝度の和に対する前記黄サブ画素の絶対輝度の比が、０．５以上２．０以下になるように前記低域成分の多原色化を行い得る多原色表示装置。
【０１２９】
［項目２］
前記特定の色は、有彩色であり、且つ、青の規格化輝度が、赤の規格化輝度および緑の規格化輝度のうちの大きい方の１／３よりも大きい色である項目１に記載の多原色表示装置。
【０１３０】
［項目３］
前記低域多原色信号生成部は、前記入力画像における前記一方の画素が前記特定の色を示す場合、前記赤サブ画素の絶対輝度および前記緑サブ画素の絶対輝度の和に対する前記黄サブ画素の絶対輝度の比が、実質的に１になるように多原色化を行い得る項目１または２に記載の多原色表示装置。
【０１３１】
［項目４］
前記低域多原色信号生成部は、前記入力画像における前記一方の画素が前記特定の色を示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る、項目１から３のいずれかに記載の多原色表示装置。
【０１３２】
［項目５］
前記特定の色はダークスキンであり、
前記低域多原色信号生成部は、前記入力画像における前記一方の画素がダークスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る項目１から４のいずれかに記載の多原色表示装置。
【０１３３】
［項目６］
前記特定の色はライトスキンであり、
前記低域多原色信号生成部は、前記入力画像における前記一方の画素がライトスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０１以下となるように多原色化を行い得る項目１から５のいずれかに記載の多原色表示装置。
【０１３４】
［項目７］
前記入力画像における前記隣接した２画素のうちの前記一方の画素が特定の色を示す場合、他方の画素は黒を示している項目１から６のいずれかに記載の多原色表示装置。
【０１３５】
［項目８］
前記２つの仮想画素のそれぞれは、前記赤サブ画素、前記緑サブ画素、前記青サブ画素および前記黄サブ画素のうちの２つ以上のサブ画素によって構成される項目１から７のいずれかに記載の多原色表示装置。
【０１３６】
［項目９］
前記画素は、複数の行および複数の列を含むマトリクス状に複数配置されており、
前記複数の画素のそれぞれ内で、前記赤サブ画素、前記緑サブ画素、前記青サブ画素および前記黄サブ画素は１行４列に配列されている項目１から８のいずれかに記載の多原色表示装置。
【０１３７】
［項目１０］
液晶表示装置である項目１から９のいずれかに記載の多原色表示装置。
【０１３８】
［項目１１］
赤サブ画素、緑サブ画素、青サブ画素および黄サブ画素から構成される画素を有し、赤、緑、青および黄の４つの原色を用いてカラー表示を行う多原色表示装置であって、
各画素に前記赤サブ画素、前記緑サブ画素、前記青サブ画素および前記黄サブ画素を有する多原色表示パネルと、
３原色に対応した入力画像信号を前記４つの原色に対応した多原色画像信号に変換する信号変換回路と、を備え、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、
前記信号変換回路は、
前記入力画像信号に基づいて、前記入力画像信号の低域成分が多原色化された信号である低域多原色信号を生成する低域多原色信号生成部と、
前記入力画像信号に基づいて、前記入力画像信号の高域成分が輝度変換された信号である高域輝度信号を生成する高域輝度信号生成部と、
前記低域多原色信号および前記高域輝度信号に基づいて、前記２つの仮想画素へのレンダリング処理を行うレンダリング処理部と、を有し、
前記低域多原色信号生成部は、前記入力画像における前記隣接した２画素のうちの一方の画素および他方の画素の輝度の大小関係と、前記一方の画素に対応する仮想画素および前記他方の画素に対応する仮想画素の輝度の大小関係とが反対にならないように前記低域成分の多原色化を行い得る多原色表示装置。
【産業上の利用可能性】
【０１３９】
本発明の実施形態によると、仮想画素を用いた表示により解像度を向上させることができる多原色表示装置において、入力側と出力側とでの輝度の逆転現象の発生を防止することができる。
【０１４０】
本発明の実施形態による多原色表示装置は、高品位の表示を行うことができるので、液晶テレビをはじめとする種々の電子機器に好適に用いられる。
【符号の説明】
【０１４１】
１０    多原色表示パネル
２０    信号変換回路
２１    低域多原色信号生成部
２２    高域輝度信号生成部
２３    レンダリング処理部
２４    γ補正部
２５    逆γ補正部
２６    低域成分抽出部（ローパスフィルタ）
２７    多原色変換部
２８    輝度変換部
２９    高域成分抽出部（ハイパスフィルタ）
１００    液晶表示装置（多原色表示装置）
Ｐ    画素
Ｒ    赤サブ画素
Ｇ    緑サブ画素
Ｂ    青サブ画素
Ｙｅ    黄サブ画素
ＶＰ１    第１仮想画素
ＶＰ２    第２仮想画素
【図１】
2015197461.tif 000013
【図２】
2015197461.tif 000014
【図３】
2015197461.tif 000015
【図４】
2015197461.tif 000016
【図５】
2015197461.tif 000017
【図６】
2015197461.tif 000018
【図７】
2015197461.tif 000019
【図８】
2015197461.tif 000020
【図９】
2015197461.tif 000021
【図１０】
2015197461.tif 000022
【図１１】
2015197461.tif 000023
【図１２】
2015197461.tif 000024
【図１３】
2015197461.tif 000025
【図１４】
2015197461.tif 000026
【図１５】
2015197461.tif 000027
【図１６】
2015197461.tif 000028
【図１７】
2015197461.tif 000029
【図１８】
2015197461.tif 000030
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
赤サブ画素、緑サブ画素、青サブ画素および黄サブ画素から構成される画素を有し、赤、緑、青および黄の４つの原色を用いてカラー表示を行う多原色表示装置であって、
各画素に前記赤サブ画素、前記緑サブ画素、前記青サブ画素および前記黄サブ画素を有する多原色表示パネルと、
３原色に対応した入力画像信号を前記４つの原色に対応した多原色画像信号に変換する信号変換回路と、を備え、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、
前記信号変換回路は、
前記入力画像信号に基づいて、前記入力画像信号の低域成分が多原色化された信号である低域多原色信号を生成する低域多原色信号生成部と、
前記入力画像信号に基づいて、前記入力画像信号の高域成分が輝度変換された信号である高域輝度信号を生成する高域輝度信号生成部と、
前記低域多原色信号および前記高域輝度信号に基づいて、前記２つの仮想画素へのレンダリング処理を行うレンダリング処理部と、を有し、
前記低域多原色信号生成部は、前記入力画像における前記隣接した２画素のうちの一方の画素が特定の色を示す場合、前記赤サブ画素の絶対輝度および前記緑サブ画素の絶対輝度の和に対する前記黄サブ画素の絶対輝度の比が、０．５以上２．０以下になるように前記低域成分の多原色化を行い得る多原色表示装置。
【請求項２】
前記特定の色は、有彩色であり、且つ、青の規格化輝度が、赤の規格化輝度および緑の規格化輝度のうちの大きい方の１／３よりも大きい色である請求項１に記載の多原色表示装置。
【請求項３】
前記低域多原色信号生成部は、前記入力画像における前記一方の画素が前記特定の色を示す場合、前記赤サブ画素の絶対輝度および前記緑サブ画素の絶対輝度の和に対する前記黄サブ画素の絶対輝度の比が、実質的に１になるように多原色化を行い得る請求項１または２に記載の多原色表示装置。
【請求項４】
前記低域多原色信号生成部は、前記入力画像における前記一方の画素が前記特定の色を示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る請求項１から３のいずれかに記載の多原色表示装置。
【請求項５】
前記特定の色はダークスキンであり、
前記低域多原色信号生成部は、前記入力画像における前記一方の画素がダークスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０３以下となるように多原色化を行い得る請求項１から４のいずれかに記載の多原色表示装置。
【請求項６】
前記特定の色はライトスキンであり、
前記低域多原色信号生成部は、前記入力画像における前記一方の画素がライトスキンを示す場合、前記低域多原色信号によって表わされる色を正面方向から見たときの色度を示す色度座標（u', v'）と斜め６０°方向から見たときの色度を示す色度座標（u60', v60'）とによって規定される色差Δu'v'＝（（u'-u60'）2＋（v'-v60'）2）1/2が０．０１以下となるように多原色化を行い得る請求項１から５のいずれかに記載の多原色表示装置。
【請求項７】
前記入力画像における前記隣接した２画素のうちの前記一方の画素が特定の色を示す場合、他方の画素は黒を示している請求項１から６のいずれかに記載の多原色表示装置。
【請求項８】
前記２つの仮想画素のそれぞれは、前記赤サブ画素、前記緑サブ画素、前記青サブ画素および前記黄サブ画素のうちの２つ以上のサブ画素によって構成される請求項１から７のいずれかに記載の多原色表示装置。
【請求項９】
前記画素は、複数の行および複数の列を含むマトリクス状に複数配置されており、
前記複数の画素のそれぞれ内で、前記赤サブ画素、前記緑サブ画素、前記青サブ画素および前記黄サブ画素は１行４列に配列されている請求項１から８のいずれかに記載の多原色表示装置。
【請求項１０】
液晶表示装置である請求項１から９のいずれかに記載の多原色表示装置。
【請求項１１】
赤サブ画素、緑サブ画素、青サブ画素および黄サブ画素から構成される画素を有し、赤、緑、青および黄の４つの原色を用いてカラー表示を行う多原色表示装置であって、
各画素に前記赤サブ画素、前記緑サブ画素、前記青サブ画素および前記黄サブ画素を有する多原色表示パネルと、
３原色に対応した入力画像信号を前記４つの原色に対応した多原色画像信号に変換する信号変換回路と、を備え、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うことができ、
前記信号変換回路は、
前記入力画像信号に基づいて、前記入力画像信号の低域成分が多原色化された信号である低域多原色信号を生成する低域多原色信号生成部と、
前記入力画像信号に基づいて、前記入力画像信号の高域成分が輝度変換された信号である高域輝度信号を生成する高域輝度信号生成部と、
前記低域多原色信号および前記高域輝度信号に基づいて、前記２つの仮想画素へのレンダリング処理を行うレンダリング処理部と、を有し、
前記低域多原色信号生成部は、前記入力画像における前記隣接した２画素のうちの一方の画素および他方の画素の輝度の大小関係と、前記一方の画素に対応する仮想画素および前記他方の画素に対応する仮想画素の輝度の大小関係とが反対にならないように前記低域成分の多原色化を行い得る多原色表示装置。
【請求項１２】
請求項１から１１のいずれかに記載の多原色表示装置を備えたテレビジョン受像機。
【請求項１３】
赤サブ画素、緑サブ画素、青サブ画素および黄サブ画素から構成される画素を有し、赤、緑、青および黄の４つの原色を用いてカラー表示を行う多原色表示装置の駆動方法であって、
３原色に対応した入力画像信号を前記４つの原色に対応した多原色画像信号に変換するステップ（Ａ）と、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うステップ（Ｂ）と、を包含し、
前記ステップ（Ａ）は、
前記入力画像信号に基づいて、前記入力画像信号の低域成分が多原色化された信号である低域多原色信号を生成するステップ（ａ）と、
前記入力画像信号に基づいて、前記入力画像信号の高域成分が輝度変換された信号である高域輝度信号を生成するステップ（ｂ）と、
前記低域多原色信号および前記高域輝度信号に基づいて、前記２つの仮想画素へのレンダリング処理を行うステップ（ｃ）と、を含み、
前記ステップ（ａ）において、前記入力画像における前記隣接した２画素のうちの一方の画素が特定の色を示す場合、前記赤サブ画素の絶対輝度および前記緑サブ画素の絶対輝度の和に対する前記黄サブ画素の絶対輝度の比が、０．５以上２．０以下になるように前記低域成分の多原色化が行われる多原色表示装置の駆動方法。
【請求項１４】
赤サブ画素、緑サブ画素、青サブ画素および黄サブ画素から構成される画素を有し、赤、緑、青および黄の４つの原色を用いてカラー表示を行う多原色表示装置であって、
３原色に対応した入力画像信号を前記４つの原色に対応した多原色画像信号に変換するステップ（Ａ）と、
前記画素を構成する前記赤サブ画素、前記緑サブ画素、前記青サブ画素および前記黄サブ画素を２つの仮想画素に振り分け、入力画像における隣接した２画素分の表示を前記２つの仮想画素によって行うステップ（Ｂ）と、を包含し、
前記ステップ（Ａ）は、
前記入力画像信号に基づいて、前記入力画像信号の低域成分が多原色化された信号である低域多原色信号を生成するステップ（ａ）と、
前記入力画像信号に基づいて、前記入力画像信号の高域成分が輝度変換された信号である高域輝度信号を生成するステップ（ｂ）と、
前記低域多原色信号および前記高域輝度信号に基づいて、前記２つの仮想画素へのレンダリング処理を行うステップ（ｃ）と、を含み、
前記ステップ（ａ）において、前記入力画像における前記隣接した２画素のうちの一方の画素および他方の画素の輝度の大小関係と、前記一方の画素に対応する仮想画素および前記他方の画素に対応する仮想画素の輝度の大小関係とが反対にならないように前記低域成分の多原色化が行われる多原色表示装置の駆動方法。